(57)【要約】【課題】従来技術の問題を克服するまたは少なくとも軽減するカートンを提供すること。【解決手段】1つまたは複数の物品(B)を梱包するためのカートン(90、190、290)であって、カートンは、トップ壁(18、118、218)、第1の上部側壁(16、116、216)、第1の下部側壁(14、114、214)、第2の側壁(20/22、120/122、220/222)、およびベース壁(12/24、112/124、212/224)を含む管状構造を備え、管状構造は、第1の上部側壁(16、116、216)から打ち抜かれ、そこから突出して立つ少なくとも1つのディスプレイパネル(36、136、236)を備え、前記ディスプレイパネル(36、136、236)は、物品が通って部分的に受け入れられる開口を少なくとも部分的に画定し、ディスプレイパネル(36、136、236)は、前記物品から離隔される。【選択図】図1
2015229515.tif 000002
【特許請求の範囲】
【請求項１】
1つまたは複数の物品を梱包するためのカートンであって、該カートンは、トップ壁、第1の上部側壁、第1の下部側壁、第2の側壁およびベース壁を含む管状構造を備え、前記管状構造は、前記第1の上部側壁から打ち抜かれ、且つそこから突出して立つ少なくとも1つのディスプレイパネルを備え、前記ディスプレイパネルは、物品が通って部分的に受け入れられる開口を少なくとも部分的に画定し、前記ディスプレイパネルは、前記物品から離隔される、カートン。
【請求項２】
前記ディスプレイパネルは、前記第1の下部側壁と一体形成され、前記第1の上部側壁と前記第1の下部側壁との間の折り目を中断する、請求項1に記載のカートン。
【請求項３】
前記ディスプレイパネルは、前記第1の上部側壁から打ち抜かれた開口によって部分的に画定される、請求項1に記載のカートン。
【請求項４】
前記ディスプレイパネルは、前記トップ壁から打ち抜かれたカットアウェイによって部分的に画定される、請求項1に記載のカートン。
【請求項５】
前記ディスプレイパネルは、1つまたは複数の分離可能な接続部によって前記第1の上部側壁に分離可能に結合される、請求項1に記載のカートン。
【請求項６】
前記ディスプレイパネルは、1つまたは複数の分離可能な接続部によって前記トップ壁に分離可能に結合される、請求項1に記載のカートン。
【請求項７】
前記ディスプレイパネルは、折り目によって前記第1の下部側壁にヒンジ式に連結される、請求項1に記載のカートン。
【請求項８】
前記折り目は、前記第1の上部側壁と前記第1の下部側壁との間の折り目と同一直線上にある、請求項7に記載のカートン。
【請求項９】
前記ディスプレイパネルは、カートンが組み立てられるときにディスプレイ位置に自動的に展開される、請求項1に記載のカートン。
【請求項１０】
前記ディスプレイパネルは、カートンに1つまたは複数の物品が積載されるときにディスプレイ位置に自動的に展開される、請求項1に記載のカートン。
【請求項１１】
前記第1の上部側壁は、前記第1の上部側壁および前記第1の下部側壁が同一平面上にないように、前記第1の下部側壁に関してゼロでない角度で配置される、請求項1に記載のカートン。
【請求項１２】
前記カートンは、互いに対して収束した第1および第2の側壁を有するゲーブルトップ型カートンであり、前記第1および第2の側壁は、前記トップ壁の方へ収束する、請求項1に記載のカートン。
【請求項１３】
前記ディスプレイパネルは、前記第1の下部側壁と同一平面上にある、請求項1に記載のカートン。
【請求項１４】
1つまたは複数の物品を梱包するためのカートンを形成するためのブランクであって、該ブランクは、トップ壁、第1の上部側壁、第1の下部側壁、第2の側壁、およびベース壁を含む管状構造の壁を形成する、次々にヒンジ式に連結される一連の主パネルを備え、前記管状構造は、前記第1の上部側壁から打ち抜かれ、且つ組み立てたカートンではそこから突出して立つように構成される少なくとも1つのディスプレイパネルを備え、前記ディスプレイパネルは、物品のための開口を少なくとも部分的に画定し、前記ディスプレイパネルは、前記物品から離隔されるように構成される、ブランク。
【発明の詳細な説明】
【技術分野】
【０００１】
本発明は、物品を梱包するためのカートンおよびそのカートンを形成するためのブランクに関し、より詳しくは、しかし排他的でなく、カートンの壁から突出して立つディスプレイまたは広告のパネルを備えるカートン、およびそのカートンを形成するためのブランクに関する。
【背景技術】
【０００２】
梱包の分野では、複数の一次産品容器を含むパッケージを消費者に提供することが、しばしば必要とされる。そのようなマルチパックは、出荷および流通ならびに販売促進情報のディスプレイにとって望ましい。コストおよび環境を考慮して、そのようなカートンまたはキャリアは、できる限り少ない材料から形成され、それらが形成される材料をできる限り少ししか消耗しないことが必要である。別の考慮すべき事項は、大重量の物品を保持して輸送するための梱包の強度およびその適合性である。
【０００３】
広告などのしるしのディスプレイのためのディスプレイパネルを有するパッケージを提供することが、望ましい。これは、パッケージの内容物の認識を促す。
【０００４】
パッケージの積載および組み立ての自動化を提供するために梱包機で容易に取り扱うことができるカートンを提供することもまた、望ましい。
【先行技術文献】
【特許文献】
【０００５】
【特許文献１】米国特許第4,375,258号明細書
【発明の概要】
【発明が解決しようとする課題】
【０００６】
本発明は、従来技術の問題を克服するまたは少なくとも軽減することに努める。
【課題を解決するための手段】
【０００７】
本発明の第1の態様は、1つまたは複数の物品を梱包するためのカートンを提供し、そのカートンは、トップ壁、第1の上部側壁、第1の下部側壁、第2の側壁およびベース壁を含む管状構造を備え、管状構造は、第1の上部側壁から打ち抜かれ、そこから突出して立つ少なくとも1つのディスプレイパネルを備え、前記ディスプレイパネルは、物品が通って部分的に受け入れられる開口を少なくとも部分的に画定し、ディスプレイパネルは、前記物品から離隔される。
【０００８】
任意選択で、ディスプレイパネルは、第1の下部側壁と一体形成され、第1の上部側壁と第1の下部側壁との間の折り目を中断する。
【０００９】
任意選択で、ディスプレイパネルは、第1の上部側壁から打ち抜かれた開口によって部分的に画定される。
【００１０】
任意選択で、ディスプレイパネルは、トップ壁から打ち抜かれたカットアウェイ(cutaway)によって部分的に画定される。
【００１１】
任意選択で、ディスプレイパネルは、1つまたは複数の分離可能な接続部によって第1の上部側壁に分離可能に結合される。
【００１２】
任意選択で、ディスプレイパネルは、1つまたは複数の分離可能な接続部によってトップ壁に分離可能に結合される。
【００１３】
任意選択で、ディスプレイパネルは、折り目によって第1の下部側壁にヒンジ式に連結される。
【００１４】
任意選択で、その折り目は、第1の上部側壁と第1の下部側壁との間の折り目と同一直線上にある。
【００１５】
任意選択で、ディスプレイパネルは、カートンが組み立てられるときにディスプレイ位置に自動的に展開される。
【００１６】
任意選択で、ディスプレイパネルは、カートンに1つまたは複数の物品が積載されるときにディスプレイ位置に自動的に展開される。
【００１７】
任意選択で、第1の上部側壁は、第1の上部側壁および第1の下部側壁が同一平面上にないように、第1の下部側壁に関して非ゼロの角度で配置される。
【００１８】
任意選択で、カートンは、互いに関して収束的である第1および第2の側壁を有する、ゲーブルトップ型カートンであり、第1および第2の側壁は、トップ壁の方へ収束する。
【００１９】
任意選択で、ディスプレイパネルは、第1の下部側壁と同一平面上にある。
【００２０】
本発明の第2の態様は、1つまたは複数の物品を梱包するためのカートンを形成するためのブランクを提供する。ブランクは、トップ壁、第1の上部側壁、第1の下部側壁、第2の側壁およびベース壁を含む管状構造の壁を形成するために次々にヒンジ式に連結される一連の主パネルを備え、管状構造は、第1の上部側壁から打ち抜かれ、組み立てたカートンではそこから突出して立つように構成される少なくとも1つのディスプレイパネルを備える。ディスプレイパネルは、物品のための開口を少なくとも部分的に画定し、ディスプレイパネルは、前記物品から離隔される。
【００２１】
この出願の範囲内では、前の段落、請求項ならびに/または次の説明および図面で提示される様々な態様、実施形態、例、特徴および代替案は、独立してまたはそれらの任意の組合せで受け取られてもよいことを目的としている。例えば、1つの実施形態に関連して述べられる特徴は、特徴の不適合性がない限りすべての実施形態に当てはまる。
【００２２】
本発明の例示的実施形態は、添付の図面を参照して今から述べられることになる。
【図面の簡単な説明】
【００２３】
【図１】第1の実施形態によるカートンを形成するためのブランクの平面図である。
【図２】図1のブランクから形成されるカートンの斜視図である。
【図３】図2のカートンの一部分の代替斜視図である。
【図４】図2のカートンの端面図である。
【図５】第2の実施形態によるカートンを形成するためのブランクの平面図である。
【図６】図5のブランクから形成されるカートンの斜視図である。
【図７】第3の実施形態によるカートンの斜視図である。
【発明を実施するための形態】
【００２４】
パッケージ、ブランクおよびカートンの具体的実施形態の詳細な説明が、本明細書で開示される。開示される実施形態は、本発明のある態様が実施されてもよい方法の単なる例であり、本発明が具体化されてもよい方法のすべての包括的リストを表していないことが、理解されよう。実際、本明細書で述べられるパッケージ、ブランクおよびカートンは、様々な代替形態で具体化されてもよいことが、理解されよう。図は、必ずしも一定の縮尺ではなく、いくつかの特徴は、特定の構成要素の細部を示すために誇張されるまたは最小化されることもある。よく知られた構成要素、材料または方法は、本開示を分かりにくくすることを避けるために、必ずしも極めて詳細には述べられない。本明細書で開示されるどんな具体的な構造的詳細および機能的詳細も、限定するものとして解釈すべきでなく、単に請求項のための基礎としてかつ当業者に本発明を様々に用いることを教示するための代表的基礎として解釈すべきである。
【００２５】
図1は、以下で物品Bと称される、ボトルなどだがそれに限定されない、一次産品のための、図2で示されるようなカートン90を形成することができるブランク10の平面図を示す。
【００２６】
本明細書で詳しく述べられる実施形態では、用語「カートン」および「キャリア」は、本発明の様々な特徴を例示する限定されない目的で、製品容器などの、物品を手配し、運搬し、かつ/または分配するための容器を指す。本発明の教示は、テーパー状および/または円筒状のこともあるまたはそうでないこともある、様々な製品容器に適用できると熟考される。例示的容器は、ボトル(例えば金属、ガラスまたはプラスチックのボトル)、缶(例えばアルミニウム缶)、ブリキ缶(tin)、ポーチ、パケットおよび同様のものを含む。
【００２７】
ブランクは、適切な基材のシートから形成される。本明細書で使用される場合、用語「適切な基材」は、板紙、段ボール、厚紙、プラスチック、それらの組合せ、および同様のものなどの、あらゆる種類の折り曲げ可能なシート材料を含むと理解すべきである。例えば、以下でより詳細に述べられるキャリア構造を提供するのに適した、1つまたは複数のブランクが、用いられてもよいと認識すべきである。
【００２８】
例示的実施形態では、ブランクは、例示的物品の例示的配置を梱包するためのカートンまたはキャリアを形成するように構成される。第1の示される例示的実施形態では、配置は、2×3のマトリクスまたはアレイであり、物品は、ボトルである。ブランクは別法として、他の種類、数およびサイズの物品を梱包するためのかつ/または物品を異なる配置もしくは構成で梱包するためのキャリアを形成するように構成されてもよい。
【００２９】
ブランク10は、線系列で次々にヒンジ式に連結される複数の主パネル12、14、16、18、20、22、24を備える。ブランク10は、折り目13によって第1の下部側面パネル14にヒンジ式に連結される第1のベースパネル12を備える。第1の下部側面パネル14は、折り目15によって第1の上部側面パネル16にヒンジ式に連結される。第1の上部側面パネル16は、折り目17によってトップパネル18にヒンジ式に連結される。トップパネル18は、折り目19によって第2の上部側面パネル20にヒンジ式に連結される。第2の上部側面パネル20は、折り目21によって第2の下部側面パネル22にヒンジ式に連結される。第2の下部側面パネル22は、折り目23によって第2のベースパネル24にヒンジ式に連結される。
【００３０】
ブランク10の複数の主パネル12、14、16、18、20、22、24は、組み立てた状態にあるときは開放端の管状構造を形成する。
【００３１】
ブランク10は、図2で例示されるようなカートン90を形成するために折り曲げることができる。第1および第2のベースパネル12、24は、カートンの複合ベース壁12、24を形成するために少なくとも部分的に重なり合う関係で互いに係合可能である。任意選択で、ベースパネル12、24は、それらを係合した状態に維持するために相補的なタブおよび開口で形成されるロックシステムを備える。この目的を達成するために、一連の雄タブ30が、第1のベースパネル12に画定され、対応する一連の雌フラップ32が、第2のベースパネル24に画定される。第1および第2のベースパネル12、24が、重ね合わせた状態にされるとき、雄タブ30は、折り目31によってベースパネル12にヒンジ式に連結され、第1のベースパネル12の平面から変位可能であり、内向きに折り曲げられて、結果として生じる第2のベースプレート24の平面から外への雌フラップ32の内向きの折り曲げによって画定される開口を通って延びる。雄タブ30から横方向に延びる突出部は、これらの開口を通り抜けるときに変形されるが、その後に雄タブ30と実質的に同一平面の状態に戻り、それによってそこから取り外されるのを防止する。第1および第2のベースパネル12、24はこのように、係合した状態に維持される。代替実施形態では、第1および第2のベースパネル12、24は、例えば接着剤もしくは他の接着性処理またはステープルなどの機械的装置だがそれらに限定されない代替固定手段によって一緒に固定されてもよい。
【００３２】
第1の下部側面パネル14は、複数のヒール係合開口A1を備える。任意選択で、ヒール係合開口A1は、第1のベースパネル12と第1の下部側面パネル14との間の折り目13を中断する。
【００３３】
第2の下部側面パネル22は、複数のヒール係合開口A1を備える。任意選択で、ヒール係合開口A1は、第2のベースパネル24と第2の下部側面パネル22との間の折り目23を中断する。
【００３４】
第1の上部側面パネル16は、複数のヘッドまたはキャップ係合開口A3を備える。任意選択で、キャップ係合開口A3は、トップパネル18と第1の上部側面パネル16との間の折り目17を中断する。
【００３５】
第2の上部側面パネル20は、複数のヘッドまたはキャップ係合開口A3を備える。任意選択で、キャップ係合開口A3は、トップパネル18と第2の上部側面パネル20との間の折り目19を中断する。
【００３６】
任意選択で、第1のベースパネル12および第2のベースパネル24はそれぞれ、少なくとも1つのハンドリング開口A2を備える。例示される実施形態では、第1のベースパネル12および第2のベースパネル24はそれぞれ、2つのハンドリング開口A2を備える。ハンドリング開口A2は、ブランク10をカートン90に組み立てるのを容易にする。
【００３７】
任意選択で、第2の上部側面パネル20は、カートン内容物へのアクセスを容易にするための開封帯Zを備える。開封帯Zは、第1の弱化分離線33aおよび第2の弱化分離線33bを備える。第1および第2の弱化分離線33a、33bはそれぞれ、実質的に第2の上部側面パネル20を横切って長手方向に延びる。任意選択で、折り目21の少なくとも一部分は、第2の弱化分離線33bと同一の広がりを持つ。
【００３８】
任意選択で、トップパネル18は、トップパネル18から打ち抜かれ、折り目27によってトップパネル18にヒンジ式に連結される第1の折り曲げ可能なタブ26を備えるハンドル構造を備える。ハンドル構造は、トップパネル18から打ち抜かれ、折り目29によってトップパネル18にヒンジ式に連結される第2の折り曲げ可能なタブ28を備える。第2の折り曲げ可能なタブ28は、第1の折り曲げ可能なタブ26から離隔される。第2の折り曲げ可能なタブ28は、第1の折り曲げ可能なタブ26と反対に折り曲がるように配置される。第1および第2の折り曲げ可能なタブ26、28は、2つの開口をその中に作るためにトップパネル18の平面から外へ折り曲げられてもよい。ユーザーは、カートン90を運ぶために親指および/またはその他の指を開口のそれぞれの1つに挿入してもよい。
【００３９】
ブランク10は、情報またはしるしのディスプレイのためのディスプレイパネル36を備える。ディスプレイパネル36は、第1の上部側面パネル16から打ち抜かれ、第1の下部側面パネル14と一体になっている。ディスプレイパネル36は、第1の上部側面パネル16と第1の下部側面パネル14との間の折り目15を中断する。ディスプレイパネル36は、第1の切れ目37aおよび第2の切れ目37bによって第1の上部側面パネル16から分離される。第1の刻み目または接続部分N1は、第2の切れ目37bを中断する。第2の刻み目または接続部分N2は、第1の切れ目37aを中断する。第1の接続部分N1および第2の接続部分N2は、第1の下部側面パネル14が第1の上部側面パネル16と実質的に同じ平面内にある間は、ディスプレイパネル36を第1の下部側面パネル14の平面内に維持するのに十分である。第1の接続部分N1および第2の接続部分N2は、第1の下部側面パネル14が第1の上部側面パネル16に関して折り目15の周りで折り曲げられるとき、ディスプレイパネル36が第1の下部側面パネル14と実質的に同一平面上のままであるように切り離されてもよい。任意選択で、スロットまたは開口A4が、第1の上部側面パネル16から打ち抜かれ、ディスプレイパネル36の上部エッジに沿って配置される。スロットまたは開口A4は、ディスプレイパネル36が、組み立てたカートン90でトップパネル18よりも高い高さまで延びないように、ディスプレイパネル36を短くする効果を有する。これは、カートン90が他のカートン90と垂直に積み重ねられることを可能にする。スロットまたは開口A4はまた、図3で最もよく示されるように、物品Bの一部分が第1の上部側面パネル16を通って延びることを可能にもする。
【００４０】
図2、図3、および図4で例示されるようなカートンの組み立てに目を向けると、カートンは、その組み立てを完了するために、カートンが回転されるまたは反転される必要がなくてもよいように、直線機械での一連の逐次折り曲げ作業によって形成されてもよい。折り曲げプロセスは、以下で述べられるそれに限定されず、特定の製造要件に従って変更されてもよい。
【００４１】
物品Bのグループが、集められ、好ましい実施形態では、6つの物品Bが、2×3アレイに配置される。ブランク10のトップパネル18が、カートンのトップ壁18を提供するように物品Bのグループを覆って配置される。
【００４２】
第1の上部側面パネル16、第1の下部側面パネル14および第1のベースパネル12が、折り目17の周りで折り曲げられる。第1の上部側面パネル16は、第1の上部側壁16を提供するように、物品Bの隣接列での物品Bの上部側面部分と隣接させられる。物品Bの隣接列での各端部の物品BのキャップCは、第1の上部側壁16に提供されるキャップ係合開口A3のそれぞれの1つに受け入れられる。物品Bの隣接列での物品Bの中間の1つのキャップCは、スロットA4に受け入れられ、ディスプレイパネル36の内面に押し付けられる。結果として、第1の接続部分N1および第2の接続部分N2は、切り離されて、ディスプレイパネル36が上部側壁16によって拘束されなくなることを可能にする。
【００４３】
第1の下部側面パネル14および第1のベースパネル12が、折り目15の周りで折り曲げられる。第1の下部側面パネル14は、第1の下部側壁14を提供するように、物品Bの隣接列での物品Bの下部側面部分と隣接させられる。ディスプレイパネル36は、第1の上部側壁16に関して管状構造の外向きに変位される。ディスプレイパネル36は、第1の下部側壁14と実質的に同一平面上のままである。
【００４４】
第2の上部側面パネル20、第2の下部側面パネル22および第2のベースパネル24が、折り目19の周りで折り曲げられる。第2の上部側面パネル20は、第2の上部側壁20を提供するように、物品Bの隣接列での物品Bの上部側面部分と隣接させられる。物品Bの隣接列での物品BのそれぞれのキャップCは、第2の上部側壁20に提供されるキャップ係合開口A3のそれぞれの1つに受け入れられる。
【００４５】
第2の下部側面パネル22および第2のベースパネル24が、折り目21の周りで折り曲げられる。第2の下部側面パネル22は、第2の下部側壁22を提供するように、物品Bの隣接列での物品Bの下部側面部分と隣接させられる。
【００４６】
第2のベースパネル24は、第2のベースパネル24を隣接列での物品Bの底部と隣接させるために、折り目23の周りで折り曲げられる。物品Bの隣接列での物品Bのヒールは、下部側壁22に提供されるヒール係合開口A1に受け入れられる。
【００４７】
第1のベースパネル12は、第1のベースパネル12を隣接列での物品Bの底部と隣接させるために、折り目13の周りで折り曲げられる。第1のベースパネル12は、図4で最もよく示されるように、第2のベースパネル24と少なくとも部分的に重なり合う関係にさせられる。雄タブ30は、雌タブ32と垂直整列させられる。物品Bの隣接列での物品Bのヒールは、第1の下部側壁14に提供されるヒール係合開口A1に受け入れられる。
【００４８】
雄タブ30は、第1のベースパネル12の平面からはずれてカートン90の内側に押される。そうすることで、雌タブ32は、第2のベースパネル24の平面からはずれてカートン90の内側に押される。
【００４９】
このようにして、第1のベースパネル12は、第2のベースパネル24にロックされ、第1および第2のベースパネル12、24は、ベース壁12、24を提供する。
【００５０】
ディスプレイパネル36は、図2、図3および図4で分かるように、第1の上部側壁16から突出して立つ。ディスプレイパネル36は、第1の上部側壁16に対してある角度をなすように配置される。ディスプレイパネル36は任意選択で、実質的に直立または垂直であるように配置される。第1の上部側壁16は、カートン90がテーパー状であるように、垂直に対してある角度で傾けられる。任意選択で、第2の上部側壁20は、「ゲーブルトップ」を有するカートン90を形成するように、垂直に対してある角度で傾けられてもよい。第1の上部側壁16および第2の上部側壁20は、互いの方へ収束するように配置される。
【００５１】
好ましくは、ディスプレイパネル36の内面は、物品Bの隣接部分から離隔される。ディスプレイパネル36に近接した物品Bの一部分は、スロットA4および第1の上部側壁16から外へのディスプレイパネル36の変位によって作られる第1の上部側壁16での開口を通って突出する。このようにして、ディスプレイパネル36は、自由であるまたは浮いているように見える。例示される実施形態では、ディスプレイパネル36は、実質的に垂直であるように配置され、これは、カートン90が棚に展示されるときに、特に棚が消費者の目の高さに配置される場合、図形またはテキストをより読みやすくするという利点を有する。
【００５２】
図5から図7を今から参照すると、本発明の代替実施形態が、示される。第2および第3の例示される実施形態では、類似の数字は、可能であれば、これらの特徴が第2または第3の実施形態にそれぞれ属することを示すために接頭辞「100」または「200」の追加があるにもかかわらず、類似の部分を示すために使用されている。代替実施形態は、多くの共通特徴を第1の実施形態と共有し、したがって図1から図4で例示される実施形態との差だけが、いくらかより詳細に述べられることになる。
【００５３】
図5は、第2の実施形態によるカートン190(図6を参照)を形成するためのブランク110を例示し、ブランク110は、線系列で次々にヒンジ式に連結される複数の主パネル112、114、116、118、120、122、124を備える。ブランク110は、折り目113によって第1の下部側面パネル114にヒンジ式に連結される第1のベースパネル112を備える。第1の下部側面パネル114は、折り目115によって第1の上部側面パネル116にヒンジ式に連結される。第1の上部側面パネル116は、折り目117によってトップパネル118にヒンジ式に連結される。トップパネル118は、折り目119によって第2の上部側面パネル120にヒンジ式に連結される。第2の上部側面パネル120は、折り目121によって第2の下部側面パネル122にヒンジ式に連結される。第2の下部側面パネル122は、折り目123によって第2のベースパネル124にヒンジ式に連結される。
【００５４】
ブランク110の複数の主パネル112、114、116、118、120、122、124は、組み立てた状態にあるときは開放端の管状構造を形成する。
【００５５】
ブランク110は、情報またはしるしのディスプレイのためのディスプレイパネル136を備える。ディスプレイパネル136は、第1の上部側面パネル116から打ち抜かれ、第1の上部側面パネル116と第1の下部側面パネル114との間の折り目115によって第1の下部側面パネル114にヒンジ式に連結される。ディスプレイパネル136は、第1の切れ目137aおよび第2の切れ目137bによって第1の上部側面パネル116から分離される。第1の刻み目または接続部分N1は、第2の切れ目137bを中断する。第2の刻み目または接続部分N2は、第1の切れ目137aを中断する。第1の接続部分N1および第2の接続部分N2は、第1の下部側面パネル114が第1の上部側面パネル116と実質的に同じ平面内にある間は、ディスプレイパネル136を第1の下部側面パネル114の平面内に維持するのに十分である。第1の接続部分N1および第2の接続部分N2は、第1の下部側面パネル114が第1の上部側面パネル116に関して折り目115の周りで折り曲げられるとき、ディスプレイパネル136が第1の下部側面パネル114と実質的に同一平面上のままであるように切り離されてもよい。
【００５６】
図1から図4の実施形態で示されるスロットまたは開口A4は、第2の例示される実施形態では省略されている。これは、ディスプレイパネル136が、組み立てたカートン190でのトップ壁118の高さよりも高い高さまで延びるという効果を有する。このようにして、ディスプレイパネル136は、カートン190が棚または他の展示装置上に展示されるときにより人目を引く。スロットまたは開口A4の除去はまた、ブランク110が折り目117の周りで折り曲げられるとき、ディスプレイパネル136に近接した物品Bの上端部がディスプレイパネル136にすぐに重みをかけることになり、それ故に第1の接続部分N1および第2の接続部分N2の分離を容易にするという効果も有する。
【００５７】
図7は、第3の実施形態によるカートン290を例示し、カートン290は、複数の壁212、214、216、218、220、222、224を有する管状構造を備える。カートン290は、第1のベースパネルおよび第2のベースパネルから形成される複合ベース壁を備える。カートン290は、第1の下部側壁214および折り目215によってそれにヒンジ式に連結される第1の上部側壁216を備える。トップ壁218は、折り目によって第1の上部側壁216にヒンジ式に連結される。トップ壁218は、折り目によって第2の上部側壁220にヒンジ式に連結される。第2の上部側壁220は、折り目221によって第2の下部側壁222にヒンジ式に連結される。
【００５８】
カートン290は、情報またはしるしのディスプレイのためのディスプレイパネル236を備える。ディスプレイパネル236は、第1の上部側壁216から打ち抜かれ、第1の下部側壁214と一体になっている。ディスプレイパネル236は、第1の上部側壁216と第1の下部側壁214との間の折り目215を中断する。ディスプレイパネル236は、曲線輪郭形状(contoured shape)を有し、任意の所望の形を取ることができる。ディスプレイパネルは、例示される形状に限定されず、例えば任意の多角形だがそれに限定されない任意の形状を取る可能性もあり、またはカートン290に印刷された商標、ロゴまたは他の図案もしくは文字などの、図形またはしるしに無料で成形されることもあると理解されよう。
【００５９】
様々な変更が、本発明の範囲内でなされてもよいと認識されてもよい。例えば、パネルおよび開口のサイズおよび形状は、異なるサイズまたは形状の物品を収容するように調整されてもよい。本発明は、巻き付ける方式のカートンに限定されず、代替実施形態では、ディスプレイパネル36、136は、例えば特許文献１で示されるような、完全に囲まれたカートンなどだがそれに限定されない代替カートン方式で用いられてもよい。いくつかの実施形態では、切れ目、スリット、スロットまたは開口A4の形でのカットアウェイが、トップ壁18、118、218から打ち抜かれ、ディスプレイパネル36、136、236の上部エッジに沿って配置される。
【００６０】
上述の実施形態は、孤立した構成を形成せず、実施形態の1つからの特徴は、要望通りに実施形態の他のものの特徴と自由に組み合わされてもよいとまた熟考される。
【００６１】
代替実施形態では、接着剤を含むがそれに限定されない他のパネル連結手段が、想定される。
【００６２】
本明細書で使用される場合、「トップ」、「底部」、「前部」、「後部」、「端部」、「側部」、「内部」、「外部」、「上部」および「下部」などの方向的言及は、必ずしもそれぞれのパネルまたは壁をそのような方向付けに限定するものではなく、単にこれらのパネルおよび壁を互いに区別するのに役立つだけであってもよいということが認識される。
【００６３】
本明細書で使用される場合、用語「から突出して立つ(stand proud of)」、「から突出して立つ(stands proud of)」または「から突出して立つ(standing proud of)」は、「の平面から外へ変位される」または「の平面から外向きに変位される」を意味する。例えば、「ディスプレイパネルが、第1の上部側壁から突出して立つ」は、「ディスプレイパネルが、第1の上部側壁の平面(の管状構造)から外向きに変位される」を意味する。
【００６４】
本明細書で使用される場合、用語「ヒンジ式に連結される接続」および「折り目」は、ブランクのヒンジ特徴を画定し、ブランクの各部分を互いに関して折り曲げることを容易にし、または別の形でブランクのための最適パネル折り曲げ位置を示す、あらゆる種類の線を指す。折り目は典型的には、切り込み線、エンボス加工線、またはデボス加工線(debossed line)である。「ヒンジ式に連結される接続」または「折り目」へのどんな言及も、必ずしも単一の折り目だけを指していると解釈すべきではなく、実際、ヒンジ式に連結される接続は、本発明の範囲から逸脱することなく次のもの、すなわち短いスリット、折れやすい線または折り目の任意の1つまたは複数から形成されてもよいと想定される。
【００６５】
本明細書で使用される場合、用語「分離線」は、基材の各部分を互いに分離することを容易にするまたは最適な分離位置を示すあらゆる種類の線を指す。分離線は、折れやすいもしくは別の形で弱くなった線、引き裂き線、切れ目、またはスリットであってもよい。
【００６６】
本明細書で使用される場合の語句「と整列して(in registry with)」は、2つの重なり合うパネルの第1のものに形成された開口および2つの重なり合うパネルの第2のものに形成された第2の開口、または外側ベースパネルに形成された可動タブおよび内側ベースパネルに形成された可動タブなどの、組み立てたカートンでの2つ以上の要素の位置合わせを指す。互いに整列しているそれらの要素は、重なり合うパネルの厚さ方向で互いに整列していてもよい。例えば、第1のパネルでの開口が、第1のパネルと重なり合う配置で置かれる第2のパネルでの第2の開口「と整列している」とき、開口のエッジは、第2の開口のエッジの少なくとも一部分に沿って延びてもよく、第1および第2のパネルの厚さ方向で、第2の開口と整列していてもよい。
【００６７】
ヒンジ式に連結される接続、分離線および折り目はそれぞれ、ミシン目、ミシン目の線、短いスリットの線、ハーフカットの線、単一のハーフカット、切れ目、中断される切れ目、スリット、切り込み線、それらの任意の組合せ、および同様のものを含む、ブランクの基材に形成される要素を含むことができるということを理解すべきである。これらの要素は、所望の機能性を提供するように寸法および配置され得る。例えば、ミシン目の線は、折り目および/または分離線を画定するために、ある程度の弱さをもって寸法または設計され得る。ミシン目の線は、折り曲げることを容易にしおよび破断に耐えるように設計されても、折り曲げることを容易にしおよび破断するのにより労力がかかるように設計されても、ほとんど労力をかけないで破断できるように設計されてもよい。
【符号の説明】
【００６８】
10  ブランク
12  第1のベースパネル
13  折り目
14  第1の下部側面パネル、第1の下部側壁
15  折り目
16  第1の上部側面パネル、第1の上部側壁
17  折り目
18  トップパネル
19  折り目
20  第2の上部側面パネル、第2の上部側壁
21  折り目
22  第2の下部側面パネル、第2の下部側壁
23  折り目
24  第2のベースパネル
26  第1の折り曲げ可能なタブ
27  折り目
28  第2の折り曲げ可能なタブ
29  折り目
30  雄タブ
32  雌フラップ、雌タブ
33a  第1の弱化分離線
33b  第2の弱化分離線
36  ディスプレイパネル
37a  第1の切れ目
37b  第2の切れ目
90  カートン
110  ブランク
112  第1のベースパネル
113  折り目
114  第1の下部側面パネル
115  折り目
116  第1の上部側面パネル
117  折り目
118  トップパネル、トップ壁
119  折り目
120  第2の上部側面パネル
121  折り目
122  第2の下部側面パネル
123  折り目
124  第2のベースパネル
136  ディスプレイパネル
137a  第1の切れ目
137b  第2の切れ目
190  カートン
214  第1の下部側壁
215  折り目
216  第1の上部側壁
218  トップ壁
220  第2の上部側壁
221  折り目
222  第2の下部側壁
236  ディスプレイパネル
290  カートン
A1  ヒール係合開口
A2  ハンドリング開口
A3  キャップ係合開口
A4  スロット、開口
B  物品
C  物品のキャップ
N1  第1の刻み目、第1の接続部分
N2  第2の刻み目、第2の接続部分
Z  開封帯
【図１】
2015229515.tif 000003
【図２】
2015229515.tif 000004
【図３】
2015229515.tif 000005
【図４】
2015229515.tif 000006
【図５】
2015229515.tif 000007
【図６】
2015229515.tif 000008
【図７】
2015229515.tif 000009
【外国語明細書】
2015229515000001.pdf